(57)【要約】  【課題】  画像等が印刷された写真シートを用いて、専用の装置を使用せずに手軽に写真集を製本する方法を提供することを目的とする。  【解決手段】  写真集１の略々２倍の大きさを有し画像等が表示された写真シート２１と、写真集と略々等しい大きさで保形性を有し表面に接着層２３、剥離紙２４が順に積層された台紙２２とを用いた写真集１の製本方法であって、前記各々の写真シート２１を夫々裏面２１２が露出するように半分に折り曲げるとともに、前記写真シート２１の折目側の向きを揃えて、各々の写真シート２１間に剥離紙２４を剥がした前記台紙２２を挟み込みながら積層してなる写真シートスタック２を作成し、前記写真シートスタック２の折目側が背表紙に位置するように製本する写真集の製本方法。【選択図】  図５
2006272738.tif 000002
【特許請求の範囲】
【請求項１】
写真集の略々２倍の大きさを有し画像等が表示された写真シートと、写真集と略々等しい大きさで保形性を有し表面に接着層、剥離紙が順に積層された台紙とを用いた写真集の製本方法であって、
前記各々の写真シートを夫々裏面が露出するように半分に折り曲げるとともに、前記写真シートの折目側の向きを揃えて、各々の写真シート間に剥離紙を剥がした前記台紙を挟み込みながら積層してなる写真シートスタックを作成し、
前記写真シートスタックの折目側が背表紙側に位置するように製本する写真集の製本方法。
【請求項２】
写真集の略々２倍の大きさを有し画像等が表示された写真シートと、写真集と略々等しい大きさで保形性を有し表面に接着層、剥離紙が順に積層された台紙とを用いた写真集の製本方法であって、
前記各々の写真シートを夫々裏面が露出するように半分に折り曲げるとともに、前記写真シートの折目側の向きを揃えて、各々の写真シート間に前記台紙を、前記剥離紙の一部を剥がしながら挟み込んで積層し、積層後に前記写真シート及び台紙間の剥離紙を完全に剥がして抜き取ることにより写真シートスタックを作成し、
前記写真シートスタックの折目側が背表紙側に位置するように製本する写真集の製本方法。
【請求項３】
請求項１または２記載の写真集の製本方法であって、
写真シートは表面がラミネート加工されることを特徴とする写真集の製本方法。
【請求項４】
請求項１〜３記載の写真集の製本方法であって、
接着層は、アクリル樹脂系接着剤からなることを特徴とする写真集の製本方法。
【請求項５】
請求項４記載の写真集の製本方法であって、
写真シートが積層されてなる写真シートスタックの外周がカットされることを特徴とする写真集の製本方法。
【請求項６】
画像等が表示された写真シートと、保形性を有し表面に接着層が設けられた台紙とが交互に積層されてなる写真シートスタックを用いて製本された写真集であって、
前記写真シートは該写真集の略々２倍の大きさを有するとともに、前記台紙は該写真集と略々等しい大きさを有し、
前記写真シートは、裏面が露出するように半分に折り曲げられた状態で、折目側の向きが揃うように積層されており、
前記写真シートスタックの折目側が背表紙側に位置するように製本され、見開きの左右のページが１枚の写真シートからなる写真集。
【発明の詳細な説明】
【技術分野】
【０００１】
本発明は、写真集の製本方法に関する。
【背景技術】
【０００２】
従来、プリント写真を用いた写真集の製本方法が提案されている。
【０００３】
例えば、（特許文献１）には、２枚のプリント写真を１枚のシートでラミネートし、そのシートを裏面が隠れるように半分に折り畳んで写真シートユニットとし、その写真シートユニットを連結して写真集を製本する方法が記載されている。
【０００４】
しかしながら、上記製造方法は、ラミネートや接着の際の位置合わせ等が面倒であるため手作業では行い難く、実際には（特許文献２）に示すような専用の装置が必要となり、手軽に写真集を製本できないという問題があった。
【０００５】
また、２枚のプリント写真を用いて見開きのページを作成しているため、見開きの左右が連続したページを作成し難いという問題があった。
【０００６】
【特許文献１】特許第２７６９４０２号公報
【特許文献２】特開２００４−３２３１６４号公報
【発明の開示】
【発明が解決しようとする課題】
【０００７】
そこで本発明は、上記問題を鑑み、画像等が表示された写真シートを用いて、専用の装置を使用せずに手軽に写真集を製本する方法を提供することを目的とする。
【０００８】
また、上記写真シートを用いて、手軽に見開きの左右のページに連続した画像が掲載された写真集を製造する方法を提供することを目的とする。
【課題を解決するための手段】
【０００９】
上記課題を解決するため、本発明は、請求項１として、写真集の略々２倍の大きさを有し画像等が表示された写真シートと、写真集と略々等しい大きさで保形性を有し表面に接着層、剥離紙が順に積層された台紙とを用いた写真集の製本方法であって、前記各々の写真シートを夫々裏面が露出するように半分に折り曲げるとともに、前記写真シートの折目側の向きを揃えて、各々の写真シート間に剥離紙を剥がした前記台紙を挟み込みながら積層してなる写真シートスタックを作成し、前記写真シートスタックの折目側が背表紙側に位置するように製本することを特徴とする。
【００１０】
上記構成によれば、画像等が表示された写真シートと保形性を有し接着層が設けられた台紙とを交互に接着していくことにより、写真シートから、保形性を有する各々のページが次々と形成されるため、専用の装置等を使用せずとも容易に写真集が製本される。
【００１１】
また、１枚の写真シートを半分に折ることにより見開きの左右のページを形成するため、見開きの左右のページに連続した画像が掲載された写真集が容易に作成される。
【００１２】
また、請求項２として、写真集の略々２倍の大きさを有し画像等が表示された写真シートと、写真集と略々等しい大きさで保形性を有し表面に接着層、剥離紙が順に積層された台紙とを用いた写真集の製本方法であって、前記各々の写真シートを夫々裏面が露出するように半分に折り曲げるとともに、前記写真シートの折目側の向きを揃えて、各々の写真シート間に前記台紙を、前記剥離紙の一部を剥がしながら挟み込んで積層し、積層後に前記写真シート及び台紙間の剥離紙を完全に剥がして抜き取ることにより写真シートスタックを作成し、前記写真シートスタックの折目側が背表紙側に位置するように製本することを特徴とする。
【００１３】
上記構成によれば、写真シートと台紙とを、一部を接着しながら積層することにより、最初に一部のみが接着された写真シートストックが形成され、その後に剥離紙が抜き取られて隣接する写真シートと台紙とが完全に接着されるため、写真シートと台紙との一部を接着する際に端を合わせる程度の位置合わせを行えばよく、細かく神経を使う位置合わせ等を行うことなく容易に製本が行われる。
【００１４】
また、請求項３は、請求項１または２記載の写真集の製本方法であって、写真シートは表面がラミネート加工されることを特徴とする。
【００１５】
上記構成によれば、写真シートの表面が汚れや傷等から保護される。
【００１６】
また、請求項４は、請求項１〜３記載の写真集の製本方法であって、接着層は、アクリル樹脂系接着剤からなることを特徴とする。
【００１７】
上記構成によれば、反りを防ぐとともに作業時間を短縮させる観点から、接着層に設けられる接着剤の種類が特定される。
【００１８】
また、請求項５は、請求項４記載の写真集の製本方法であって、写真シートが積層されてなる写真シートスタックの外周がカットされることを特徴とする。
【００１９】
上記構成によれば、美観に優れた写真集を作成することができる。また、切断面において接着剤が露出してしまった際には、その接着剤をゴムや布等で完全に拭い取ることができる。
【００２０】
また、請求項６は、画像等が表示された写真シートと、保形性を有し表面に接着層が設けられた台紙とが交互に積層されてなる写真シートスタックを用いて製本された写真集であって、前記写真シートは該写真集の略々２倍の大きさを有するとともに、前記台紙は該写真集と略々等しい大きさを有し、前記写真シートは、裏面が露出するように半分に折り曲げられた状態で、折目側の向きが揃うように積層されており、前記写真シートスタックの折目側が背表紙側に位置するように製本され、見開きの左右のページが１枚の写真シートからなる写真集である。
【００２１】
上記構成によれば、１枚の写真シートを半分に折ることにより写真集の見開きの左右のページが形成されるため、見開きの左右のページに連続した画像を掲載することが可能となる。
【発明の効果】
【００２２】
上記構成によれば、保形性を有し表面に接着層と剥離紙とが順に積層された台紙を用いることにより、画像等が表示された写真シートから、専用の装置を使用せずとも容易に写真集を製本することが可能となる。
【００２３】
また、見開きの左右のページに連続した画像を掲載することが可能となる。
【００２４】
さらに、台紙に対して、紙材、布材等の写真シートを、写真シートの材質に依存せずに貼付することができるため、複数の材質の写真シートを混在させて製本したり、材質の異なる紙材を数種類組み合わせてなる写真シートを使用して製本したりすることができる。
【００２５】
そして、写真シートスタックを切断した際に、両面テープを使用した場合に見られるような切断面における汚れの付着が生じたり、切断面が黒ずんでしまったりすることがなく、美観の優れた写真集を作成することができる。
【発明を実施するための最良の形態】
【００２６】
以下、本発明を詳細に説明する。まず、本発明の実施の形態（１）に係る写真集１の製造方法について図１〜図８に基づき説明する。写真集１は、図１及び図２に示すように、写真シートスタック２とカバー３部材とから形成されている。
【００２７】
写真シートスタック２は、図３及び図５に示すように、写真シート２１と台紙２２とが交互に積層されることにより構成されている。
【００２８】
写真シート２１は、写真集１の略々２倍の大きさを有し、表面２１１に写真や文字等からなる画像２６が描かれたり印刷されたりした紙材シートであり、プリント写真や、文字・模様等が描かれたデザイン画や、人物・景色等が描かれた絵画等が含まれる。写真シート２１の紙材の種類は、コート紙、アート紙、マット紙、上質紙等の印刷用紙や、ケント紙、和紙、画用紙等、紙材の種類は特に限定されず、適宜選択される。また、写真シート２１は紙材に限らず不織布等の布材であってもよい。
【００２９】
また写真シート２１は、異なる材質からなる紙材シートを組み合わせることにより形成されていてもよい。すなわち、ベースとなる紙材シートの一部をプリント写真のサイズに合わせて切り抜き、その切り抜かれた部分にプリント写真を嵌め込んだものや、複数の紙材シートを並べてラミネートして、１枚の紙材シートとしたものでもよい。これは、後述するように、接着層２３に設けられている接着剤が紙材の材質に依存せずに接着力を発揮することにより可能となるものである。
【００３０】
台紙２２は、写真集１と略々等しい大きさを有するダンボール原紙、ボール紙、画用紙等の保形性を有する紙材により形成されていて、両側の表面に、図４に示すように、接着層２３、剥離紙２４が順に積層されている。
【００３１】
接着層２３に設けられている接着剤は、乾燥皮膜の柔らかさ、耐水性、耐アルカリ性等を考慮して、アクリル酸エステル等を主原料としたアクリル樹脂系接着剤である。この接着剤は、写真シート２１の側面から露出した場合でも写真シート２１の汚れの原因となることはない。
【００３２】
また、この接着剤は紙材の材質（耐水加工されているものも含めて）に依存せずに接着力を発揮するので、貼付する紙材の材質によって接着剤を使い分ける必要がない。
【００３３】
さらに、この接着剤は、一旦接着したものを剥がしたい場合に、ノルマルヘキサン等を主成分とした剥離剤を用いてきれいに剥離することができる。
【００３４】
カバー部材３は、図６に示すように、製本後に表紙となる表紙部３１と、裏表紙となる裏表紙部３２と、表紙部３１と裏表紙部３２とを連結し背表紙となる背表紙部３３とを有するシート状に形成され、表紙部３１及び背表紙部３３間、裏表紙部３２及び背表紙部３３間を略々直角に折り曲げることにより側面視略々コの字状となる。また、表紙部３１及び裏表紙部３２の、折り曲げた際に内側となる面には、写真シートスタック２を接着するための接着部３４が設けられている。
【００３５】
接着部３４に設けられている接着剤は、一般的な製本に用いられている、ＰＶＡ（ポリビニルアルコール）等の水溶性接着剤や、澱粉を主成分とした澱粉系糊や、アクリル樹脂系接着剤、ＥＶＡ（エチレン−酢酸ビニル樹脂）等の接着剤である。
【００３６】
以下に、写真集１の製本方法について図３〜図６を用いて説明する。なお、図３及び図５では、わかりやすく説明するために、写真シート２１、台紙２２、接着層２３、及び剥離紙２４を厚く表示している。
【００３７】
始めに、図３に示すように、写真シート２１を、裏面２１２が露出し表面２１１が隠れるように半分に折り畳む。そして、台紙２２の一方の面に貼付されている剥離紙２４を剥がして接着層２３を露出させ、半分に折り畳まれた写真シート２１の、露出している一方の裏面２１２と台紙２２とを貼り合わせる。
【００３８】
このとき、台紙２２が保形性を有しているので、写真シート２１を載置し台紙２２を手に持った状態で貼り合わせると、貼り合わせの位置がずれたり写真シート２１に皺がよってしまったりすることがなく、容易に貼りたい位置に貼り合わせることができる。
【００３９】
次に、台紙２２のもう一方の剥離紙２４を剥がして接着層２３を露出させ、既に貼付されている写真シート２１と隣接すべき写真シート２１を、上記と同様に半分に折り畳み、各々の写真シート２１の折目側の向きを揃えて位置を合わせ、写真シート２１と台紙２２とを貼り合わせる。
【００４０】
この作業を繰り返して、台紙３と写真シート２とを交互に、各々の写真シート２１の折目側の位置が合うように貼り合わせていくことにより、図５に示すような、写真シートスタック２が形成される。なお、説明のために、写真シートスタック２の折目側の側面を側面２５１とし、側面２５１から時計回りに側面２５２、側面２５３、側面２５４とする。
【００４１】
そして、必要に応じて、写真シートスタック２の一辺または複数の辺をカットする。なお、写真集１の美観を向上させるために、背表紙側となる折目側の側面２５１を除く、側面２５２、側面２５３、側面２５４をカットすることが望ましい。なお、図５では、側面２５３に対してＢの位置でカットする様子を示している。
【００４２】
このとき、接着層２３の接着剤が切断面から露出した場合、その切断面をゴムや布等でこすり、切断面から接着層２３の接着剤を拭い去ることにより、切断面の美観を保つことができる。
【００４３】
このようにして作成された写真シートスタック２を、図６に示すように、折目側が背表紙側に位置するようにカバー部材３の表紙部３１及び裏表紙部３２の内側に設けられた接着部３４に固定することにより、写真集１が完成する。
【００４４】
以上の製本方法により、専用の装置を使わずに、また、細かい位置合わせや糊の塗布、乾燥等の面倒な作業をせずに、容易に、美観の優れた写真集が作成される。
【００４５】
また、図２に示すように、写真集１の略々２倍の大きさを有し画像２６が表示されている写真シート２１を折目２１３で半分に折って、１枚の写真シート２１からなる表面２１１Ａ、表面２１１Ｂにより見開きの左右のページを形成しているため、見開きの左右のページに連続した画像２５６が掲載された写真集１が、容易に製本される。
【００４６】
さらに、写真シート２１が保形性を有する台紙２２に接着されること、台紙２２に予め接着層２３が設けられていること、また、接着層２３に設けられている接着剤が水分を含まないこと等により、写真集１の各ページが折れ曲ってしまったり反ってしまったりすることがない。
【００４７】
そして、Ａ３サイズの写真シート２１とＡ４サイズの台紙２２とを用いることにより、最も一般的なサイズであるＡ４サイズの写真集が作成される。
【００４８】
上述した製本方法では、写真シート２１と台紙２２とを１枚ずつ交互に接着していくことにより写真シートスタック２を作成する方法を説明したが、これに限らず、全ての写真シート２１と両側の表面に剥離紙２４が積層されたままの状態の台紙２２とを交互に積み重ね、その後で、各層から剥離紙２４を取り除きながら写真シート２１と台紙２２とを接着することにより、写真シートスタック２を作成してもよい。
【００４９】
すなわち、図７に示すように、全ての写真シート２１と台紙２２とを折目側の向きを揃えて交互に積層し、折目側の側面２５１と対面する側面２５３をクリップ等（図示せず）で固定し、折目側の側面２５１が扇状に開放可能な状態にする。そして、各剥離紙２４について、剥離紙２４の、写真シート２１の折目側に位置している部分のみを台紙２２から剥がして、隣接する写真シート２１と台紙２２とを部分的に接着する。この作業を全ての剥離紙２４について行い、最後に上記のクリップ等を外すと、折目側の側面２５１付近のみが接着部２３の接着剤により固定された写真シートスタック２’が出来上がる。
【００５０】
そして、図８に示すように、この写真シートスタック２’において、各々の台紙２２から剥離紙２４全体を完全に剥がして抜き取りながら、隣接する台紙２２と写真シート２１とを全面が密着するように接着する。このようにして全ての隣接する写真シート２１と台紙２２とを接着することにより、写真シートスタック２が完成する。この製本方法によると、製本後に背表紙側に位置する折目側の側面２５１が最初に固定されるため、細かい位置合わせ等に神経を使うことなく容易に接着を行うことができる。
【００５１】
また、写真シート２１がプリント写真等の表面が傷つき易い紙材である場合は、表面をラミネート加工することが望ましい。これにより、画像２６を保護するとともに、汚れの付着や応力による傷等が防止される。
【００５２】
さらに、異なる材質からなる紙材（または布材）を複数組み合わせて写真シート２１を作成したり、様々な材質の写真シート２１を織り交ぜて積層して写真シートスタック２を作成したりして、写真集１を製本することができる。
【００５３】
本発明の写真集１の製本方法では、上記の保形性を有するとともに両面テープの機能を有する台紙３を用いることにより、微細な位置合わせの際の面倒な作業が省かれ、従来用いられていたような専用の装置を使用せずとも、また、各写真シートに糊を塗って乾燥させるような面倒な作業をせずとも、写真シート２１から美観の優れた写真集を手軽に製本することが可能となっている。
【図面の簡単な説明】
【００５４】
【図１】実施の形態（１）に係る写真集の斜視図を示す斜視図である。
【図２】実施の形態（１）に係る写真集の開放状態の斜視図を示す斜視図である。
【図３】実施の形態（１）に係る写真集の製本過程を示した斜視図である。
【図４】図２のＡ部の拡大図である。
【図５】実施の形態（１）に係る写真集の製本過程を示した斜視図である。
【図６】実施の形態（１）に係る写真集の製本過程を示した斜視図である。
【図７】実施の形態（１）に係る写真集の製本過程を示した斜視図である。
【図８】実施の形態（１）に係る写真集の製本過程を示した斜視図である。
【符号の説明】
【００５５】
１              写真集
２、２’        写真シートスタック
２１            写真シート
２１１          表面
２１２          裏面
２１３          折目
２２            台紙
２３            接着層
２４            剥離紙
２５１          折目側の側面
２５２          側面
２５３          側面
２５４          側面
２６            画像
３              カバー部材
３１            表紙部
３２            裏表紙部
３３            背表紙部
３４            接着部
【図１】
2006272738.tif 000003
【図２】
2006272738.tif 000004
【図３】
2006272738.tif 000005
【図４】
2006272738.tif 000006
【図５】
2006272738.tif 000007
【図６】
2006272738.tif 000008
【図７】
2006272738.tif 000009
【図８】
2006272738.tif 000010